(57)【要約】【課題】コンテンツプロビジョニングに関連付けられた関係をサポートする装置及び方法を提供する。【解決手段】方法は、ベースコンテンツ（２００）に関連付けて提示される補足コンテンツ（２１０ａ）に関連するトランザクション情報（３５４）を受信することを含み、トランザクション情報はユーザ（３１０）の識別情報を含む。方法は、識別情報を使用して、ユーザと、ベースコンテンツを提供したコンテンツプロバイダとの関係を識別すること（４５０）も含む。方法は、コンテンツプロバイダからユーザ取引信用情報を取得することと、ユーザ取引信用情報を使用して、ユーザのトランザクションを完了することと（４６０）を更に含む。【選択図】図３Ｂ
2019194878.tif 000002
【特許請求の範囲】
【請求項１】
ベースコンテンツに関連付けて提示される補足コンテンツに関連するトランザクション情報を受信することであって、前記トランザクション情報はユーザの識別情報を含む、受信することと、
前記識別情報を使用して、前記ユーザと、前記ベースコンテンツを提供したコンテンツプロバイダとの関係を識別することと、
前記コンテンツプロバイダからユーザ取引信用情報を取得することと、
前記ユーザ取引信用情報を使用して、前記ユーザのトランザクションを完了することと
を含む、方法。
【請求項２】
前記補足コンテンツに対する要求をユーザデバイスから受信することと、
前記要求に応答して、前記ベースコンテンツに関連する適切な補足コンテンツを識別することと、
前記補足コンテンツを前記ユーザデバイスに送信することと
を更に含む、請求項１に記載の方法。
【請求項３】
前記ベースコンテンツに関連する前記補足コンテンツを識別することは、
１つ又は複数の製品又はサービスに関連する少なくとも１つの値を識別することであって、前記少なくとも１つの値は前記ベースコンテンツに関連付けられる、識別することと、
前記少なくとも１つの値に基づいて前記補足コンテンツを取得することであって、前記補足コンテンツは、前記１つ又は複数の製品又はサービスについての追加情報を提供する、取得することと、
前記補足コンテンツを前記ベースコンテンツに動的にバインドすることと
を含む、請求項２に記載の方法。
【請求項４】
前記ベースコンテンツに対する要求をユーザデバイスから受信することと、
前記コンテンツプロバイダから前記ベースコンテンツを読みだすことと、
前記ベースコンテンツを前記ユーザデバイスに送信することと
を更に含む、請求項１に記載の方法。
【請求項５】
前記要求はユーザログイン信用情報を含む、請求項４に記載の方法。
【請求項６】
前記トランザクション情報を受信することは、前記コンテンツプロバイダから前記トランザクション情報を受信することを含む、請求項１に記載の方法。
【請求項７】
前記トランザクション情報を受信することは、前記ベースコンテンツ及び前記補足コンテンツのうちの少なくとも一方を前記ユーザに提示するユーザデバイスから前記トランザクション情報を受信することを含む、請求項１に記載の方法。
【請求項８】
ベースコンテンツに関連付けて提示される補足コンテンツに関連するトランザクション情報を受信して記憶するように構成される少なくとも１つのメモリであって、前記トランザクション情報はユーザの識別情報を含む、少なくとも１つのメモリと、
少なくとも１つの処理デバイスと
を含み、前記少なくとも１つの処理デバイスは、
前記識別情報を使用して、前記ユーザと、前記ベースコンテンツを提供したコンテンツプロバイダとの関係を識別することと、
前記コンテンツプロバイダからユーザ取引信用情報を取得することと、
前記ユーザ取引信用情報を使用して、前記ユーザのトランザクションを完了することと
を実行するように構成される、装置。
【請求項９】
前記少なくとも１つの処理デバイスは、
前記補足コンテンツに対する要求をユーザデバイスから受信することと、
前記要求に応答して、前記ベースコンテンツに関連する適切な補足コンテンツを識別することと、
前記補足コンテンツの前記ユーザデバイスへの送信を開始することと
を実行するように更に構成される、請求項８に記載の装置。
【請求項１０】
前記少なくとも１つの処理デバイスは、
１つ又は複数の製品又はサービスに関連する少なくとも１つの値を識別することであって、前記少なくとも１つの値は前記ベースコンテンツに関連付けられる、識別することと、
前記少なくとも１つの値に基づいて前記補足コンテンツを取得することであって、前記補足コンテンツは、前記１つ又は複数の製品又はサービスについての追加情報を提供する、取得することと、
前記補足コンテンツを前記ベースコンテンツに動的にバインドすることと
を実行するように構成される、請求項９に記載の装置。
【請求項１１】
前記少なくとも１つの処理デバイスは、
前記ベースコンテンツに対する要求をユーザデバイスから受信することと、
前記コンテンツプロバイダから前記ベースコンテンツを読みだすことと、
前記ベースコンテンツの前記ユーザデバイスへの送信を開始することと
を実行するように更に構成される、請求項８に記載の装置。
【請求項１２】
前記要求はユーザログイン信用情報を含む、請求項１１に記載の装置。
【請求項１３】
前記少なくとも１つの処理デバイスは、前記コンテンツプロバイダから前記トランザクション情報を受信するように構成される、請求項８に記載の装置。
【請求項１４】
前記少なくとも１つの処理デバイスは、前記ベースコンテンツ及び前記補足コンテンツのうちの少なくとも一方を前記ユーザに提示するユーザデバイスから前記トランザクション情報を受信するように構成される、請求項８に記載の装置。
【請求項１５】
非一時的コンピュータ可読媒体であって、前記コンピュータ可読媒体に記憶された論理を含み、前記論理は、実行されると、少なくとも１つの処理デバイスに、
ベースコンテンツに関連付けて提示される補足コンテンツに関連するトランザクション情報を受信することであって、前記トランザクション情報はユーザの識別情報を含む、受信することと、
前記識別情報を使用して、前記ユーザと、前記ベースコンテンツを提供したコンテンツプロバイダとの関係を識別することと、
前記コンテンツプロバイダからユーザ取引信用情報を取得することと、
前記ユーザ取引信用情報を使用して、前記ユーザのトランザクションを完了することと
を行わせるように構成される、非一時的コンピュータ可読媒体。
【請求項１６】
前記論理は、実行されると、前記少なくとも１つの処理デバイスに、
前記補足コンテンツに対する要求をユーザデバイスから受信することと、
前記要求に応答して、前記ベースコンテンツに関連する適切な補足コンテンツを識別することと、
前記補足コンテンツの前記ユーザデバイスへの送信を開始することと
を行わせるように更に構成される、請求項１５に記載の非一時的コンピュータ可読媒体。
【請求項１７】
前記論理は、実行されると、前記少なくとも１つの処理デバイスに、
１つ又は複数の製品又はサービスに関連する少なくとも１つの値を識別することであって、前記少なくとも１つの値は前記ベースコンテンツに関連付けられる、識別することと、
前記少なくとも１つの値に基づいて前記補足コンテンツを取得することであって、前記補足コンテンツは、前記１つ又は複数の製品又はサービスについての追加情報を提供する、取得することと、
前記補足コンテンツを前記ベースコンテンツに動的にバインドすることと
を行わせるように構成される、請求項１５に記載の非一時的コンピュータ可読媒体。
【請求項１８】
前記論理は、実行されると、前記少なくとも１つの処理デバイスに、
前記ベースコンテンツに対する要求をユーザデバイスから受信することと、
前記コンテンツプロバイダから前記ベースコンテンツを読みだすことと、
前記ベースコンテンツの前記ユーザデバイスへの送信を開始することと
を行わせるように更に構成される、請求項１５に記載の非一時的コンピュータ可読媒体。
【請求項１９】
前記論理は、実行されると、前記コンテンツプロバイダから前記トランザクション情報を受信するように構成される、請求項１５に記載の非一時的コンピュータ可読媒体。
【請求項２０】
前記論理は、実行されると、前記ベースコンテンツ及び前記補足コンテンツのうちの少なくとも一方を前記ユーザに提示するユーザデバイスから前記トランザクション情報を受信するように構成される、請求項１５に記載の非一時的コンピュータ可読媒体。
【発明の詳細な説明】
【技術分野】
【０００１】
技術分野
本開示は、概してソフトウェアに関し、より詳細には、コンテンツプロビジョニングに関連付けられた関係をサポートする装置及び方法に関する。
【背景技術】
【０００２】
背景
ビデオが、テレビ、インターネット、ＤＶＤ等の多くの媒体を通してブロードキャスト又は提供可能であることは周知である。そのようなビデオブロードキャストの資金調達を行うために、商業広告がビデオに配置されることが多い。しかし、コマーシャルは、コマーシャルが表示されている間、ビデオが一時的に中断されることを要求する。これは閲覧者を不快にさせるのみならず、デジタルビデオレコーダ（ＤＶＲ）によりビデオプログラムを予め録画することも可能である。ビデオプログラムが閲覧されるとき、ＤＶＲにより、閲覧者はコマーシャルを早送りすることができ、それにより、コマーシャルの有効性及び価値を無にする。コマーシャルが無価値化される場合、コストは適宜カバーされず、その結果、ブロードキャストのサービス品質は低下する。多くの場合、コストは、ビデオサービスの料金を閲覧者に課すことによって補填される。
【０００３】
多くの従来のシステムでは、様々な異なるコンテンツはインタラクティブ性を殆ど又は全く有さない。これは、ビデオ及び画像の両方を含む。例えば、ビデオ閲覧中、ビデオ内の異なるオブジェクトは多くの場合、異なるオブジェクトに関して分離不可能な単一のビデオストリームの単なる一部である。ビデオに関連するビデオストリーム近傍の静的な広告は、ユーザが静的な広告と対話することが促進されないようにビデオから分離されているため、あまり強力ではない。
【発明の概要】
【０００４】
概要
本開示は、コンテンツプロビジョニングに関連付けられた関係をサポートする装置及び方法を提供する。
【０００５】
第１の実施形態では、方法は、ベースコンテンツに関連付けて提示される補足コンテンツに関連するトランザクション情報を受信することを含み、トランザクション情報はユーザの識別情報を含む。本方法は、前記識別情報を使用して、ユーザと、ベースコンテンツを提供したコンテンツプロバイダとの関係を識別することも含む。本方法は、コンテンツプロバイダからユーザ取引信用情報を取得することと、ユーザ取引信用情報を使用して、ユーザのトランザクションを完了することとを更に含む。
【０００６】
第２の実施形態では、装置は、ベースコンテンツに関連付けて提示される補足コンテンツに関連するトランザクション情報を受信して記憶するように構成される少なくとも１つのメモリを含み、トランザクション情報はユーザの識別情報を含む。本装置は、前記識別情報を使用して、ユーザと、ベースコンテンツを提供したコンテンツプロバイダとの関係を識別することと、コンテンツプロバイダからユーザ取引信用情報を取得することと、ユーザ取引信用情報を使用して、ユーザのトランザクションを完了することとを実行するように構成される少なくとも１つの処理デバイスも含む。
【０００７】
第３の実施形態では、非一時的コンピュータ可読媒体は、コンピュータ可読媒体に記憶された論理を含む。論理は、実行されると、少なくとも１つの処理デバイスに、ベースコンテンツに関連付けて提示される補足コンテンツに関連するトランザクション情報を受信することを行わせるように構成され、トランザクション情報はユーザの識別情報を含む。論理は、実行されると、少なくとも１つの処理デバイスに、前記識別情報を使用して、ユーザと、ベースコンテンツを提供したコンテンツプロバイダとの関係を識別することと、コンテンツプロバイダからユーザ取引信用情報を取得することと、ユーザ取引信用情報を使用して、ユーザのトランザクションを完了することとを行わせるようにも構成される。
【０００８】
他の技術的特徴は、以下の図、説明、及び特許請求の範囲から当業者に容易に明らかになり得る。
【０００９】
本開示及びその利点をより詳細に理解するために、これより、添付図面と併せて解釈される以下の説明を参照する。
【図面の簡単な説明】
【００１０】
【図１】本開示による、通信ネットワークを通してエンドポイント間での通信を促進するのに利用することができる通信システムの例を示す。
【図２Ａ】本開示による補足コンテンツのベースコンテンツへの動的バインドの例を示す。
【図２Ｂ】本開示による補足コンテンツのベースコンテンツへの動的バインドの例を示す。
【図２Ｃ】本開示による補足コンテンツのベースコンテンツへの動的バインドの例を示す。
【図２Ｄ】本開示による補足コンテンツのベースコンテンツへの動的バインドの例を示す。
【図２Ｅ】本開示による補足コンテンツのベースコンテンツへの動的バインドの例を示す。
【図３Ａ】本開示による様々な関係を有するコンテンツプロビジョニング構成例を示す。
【図３Ｂ】本開示による様々な関係を有するコンテンツプロビジョニング構成例を示す。
【図３Ｃ】本開示による様々な関係を有するコンテンツプロビジョニング構成例を示す。
【図４】本開示によるユーザとコンテンツプロバイダとの関係を管理するプロセス例を示す。
【図５】本開示による補足コンテンツのｎレベル複製のためのコンピューティングデバイス例を示す。
【発明を実施するための形態】
【００１１】
詳細な説明
以下に考察される図１〜図５及び本明細書において本開示の原理を説明するために使用される様々な実施形態は、単なる例示であり、本開示の範囲を限定するものとして決して解釈されるべきではない。本開示の原理が任意の適宜構成されたシステムで実施可能なことを当業者は理解しよう。
【００１２】
図１は、本開示による、通信ネットワークを通してエンドポイント間の通信を促進するのに利用することができる例としての通信システム１００を示す。図１に示されるように、システム１００は様々なエンドポイント１１０、１２０、及び１３０を含む。本明細書では、「エンドポイント」という用語は一般に、別のエンドポイントと通信する任意のデバイス、システム、又は他の構造を指す。エンドポイント１１０、１２０、及び１３０の例としては、サーバ（アプリケーションサーバ及び企業サーバ等）、デスクトップコンピュータ、ラップトップコンピュータ、ネットブックコンピュータ、タブレットコンピュータ（APPLE iPad（登録商標）等）、スイッチ、モバイル電話（iPhone（登録商標）及びANDOROIDベースの電話等）、ネットワーク接続された眼鏡（Google GLASS等）、ネットワーク接続されたテレビ、ネットワーク接続されたディスクプレーヤ、クラウドコンピューティングネットワーク内の構成要素、又は通信ネットワークとの情報のやりとりに適する任意の他のデバイス若しくは構成要素が挙げられるが、これらに限定されない。エンドポイント１１０、１２０、及び１３０は、インターネットプロトコル（ＩＰ）又は任意の他の適する通信プロトコルをサポートし得る。エンドポイント１１０、１２０、及び１３０は、ＩＥＥＥ７０１．１１規格に準拠するもの等の媒体アクセス制御（ＭＡＣ）及び物理レイヤ（ＰＨＹ）インターフェースを更に含み得る。エンドポイント１１０、１２０、及び１３０は、ＭＡＣアドレス等のデバイス識別子を有することができ、エンドポイントを記述するデバイスプロファイルを有し得る。
【００１３】
通信ネットワーク１４０は、エンドポイント１１０、１２０、及び１３０間の通信を促進する。様々なリンク１１５、１２５、及び１３５が、エンドポイント１１０、１２０、及び１３０を通信ネットワーク１４０に結合する。通信ネットワーク１４０及び関連付けられたリンク１１５、１２５、及び１３５は、公衆又は私設データネットワーク、電話回線網、ローカルエリアネットワーク（ＬＡＮ）、大都市圏ネットワーク（ＭＡＮ）、広域ネットワーク（ＷＡＮ）、有線又は無線ネットワーク（ＧＳＭ（登録商標）、ＣＤＭＡ、ＬＴＥ、WIMAX、５Ｇ等）、ローカル／地域／グローバル通信ネットワーク、クラウドコンピューティングネットワークの部分、システム内の構成要素の通信バス、光ネットワーク、衛星ネットワーク、企業イントラネット、又は任意の他の通信リンク若しくは上記の組合せを含み得るが、これらに限定されない。特定の実施形態では、リンク１１５、１２５、１３５又は通信ネットワーク１４０の部分は、インターネットの部分にあってもよく、又はインターネットの部分を形成してもよい。
【００１４】
エンドポイント１１０、１２０、及び１３０は一般に、図１では単一のロケーションにあるものとして現れるが、様々なエンドポイントは、クラウドコンピューティング状況等、地理的に分散してもよい。また、各エンドポイントは、固定又はモバイルデバイスを表すことができる。エンドポイント１１０、１２０、及び１３０が互いに通信する場合、任意の様々なセキュリティ方式が利用可能である。例として、特定の実施形態では、エンドポイント１１０及び１２０はクライアントを表し得、エンドポイント１３０は、クライアントーサーバアーキテクチャでの１つ又は複数のサーバを表し得る。サーバはウェブサイトをホストし得、ウェブサイトは、登録プロセスを有し得、それにより、ユーザは、ユーザ名及びパスワードを確立して、認証するか、又はウェブサイトにログインする。ウェブサイトは、ユーザによる使用のためにウェブサイトまでサービングする必要があり得る任意の特定のアプリケーション又は特徴にウェブアプリケーションを更に利用し得る。更に、特定の構成では、エンドポイント１１０と１２０との通信は、エンドポイント１３０を通る通信路を使用して促進し得る。
【００１５】
本特許明細書に記載される様々な実施形態は、CINSAY, INC.からのスマートコンテナ（SMART CONTAINER）技術から恩恵を受け得、且つ／又は利用し得、この技術は以下に手短に説明され、米国特許第８，７６９，０５３号により十分に説明されている（米国特許第８，７６９，０５３号は、参照により全体的に本明細書に援用される）。この技術は、業者がオンライン顧客に到達する革新的な方法を提供する。従来のオンライン販売モデルでは、業者は、検索を作成するか、又はオンライン顧客が検索エンジンサイト又は様々なウェブプロパティを訪れたときに表示される広告を表示する必要がある。消費者が製品又はサービスに関連する関心のある広告を見る場合、より多くの情報を発見するため、又はオンラインで購入するために、消費者は現在の活動を停止し、何らかの他のウェブ宛先を訪れる必要がある。消費者は、特定のオンライン挙動パターンを有する。消費者が積極的に買い物している場合、従来のマルチステップモデルは上手く機能することができる。従来の広告販売モデルでは、消費者が行っていることを止め、何らかの他のオンライン宛先を訪れる必要がある。しかし、消費者は、友人と対話しているソーシャルサイトにいる場合、ニュースを読んでいる場合、ゲームをプレイしている場合、又は他のオンライン活動に従事している場合、現在の活動を停止して、何らかの外部インターネット宛先を訪れる可能性ははるかに低い。
【００１６】
スマートコンテナモデルは、製品情報又は店を消費者に持っていく。スマートコンテナコード／技術は、例えば、図１〜図５を参照して説明される構成要素を使用して、又は他の構成要素を使用して、ウェブにわたりバイラルシンジケーションを実施する。それらのタイプの宛先にとって、オンライン消費者が、ソーシャルネットワーク及びブログ等を頻繁に訪れることが理想的である。それにも関わらず、スマートコンテナコードがウェブページ、ブログ記事、ソーシャルネットワークページ若しくはウォール、又はモバイルデバイスに存在する場合、消費者は、何らかの外部宛先に向けられる必要なく、その場でトランザクションを完了することができる。
【００１７】
スマートコンテナオブジェクトは、ウェブ並びに他の接続されたネットワーク及びモバイルデバイスにわたりバイラルシンジケーションを実施し、伝搬する知的インターネットオブジェクトである。スマートコンテナオブジェクトは、オンラインマーケティング及びショッピングの価値連鎖全体に対応するように、様々な方法で構成することができる。これは、インプレッション、クリック、リード生成、及び電子商取引の実行を含む。近代のショッピング経験は、インタラクティブメディアが使用される場合、最良に機能する。販売及びショッピングに最も魅力のある形態のメディアの１つは、ビデオである。ビデオでは、テキスト又は静止写真よりもはるかに実物に似た表現が可能である。ビデオは、はるかに豊富な製品閲覧又はショッピング経験も生み出す。
【００１８】
スマートコンテナコードには通常、ビデオプレーヤウィンドウ、提供されている製品又はサービスのセレクション、及び様々な関連するビデオクリップが構成される。ビデオクリップのこのコレクションにより、消費者は、提供されている製品又はサービスについてより多くを学ぶことができる。消費者は、これらの提供される任意のアイテムを選択して、より詳細な情報を取得することができ、これらは全てスマートコンテナ技術内に包含される。
【００１９】
提供されるアイテム（製品又はサービス）は、広告又は販売されているアイテムであり得る。タイプに応じて、スマートコンテナコードは、消費者がその場で、連絡が取られるべきリクエストを行うか、更にはオブジェクトを購入できるようにすることができる。消費者は、現在の活動を停止する必要がなく、又はウェブページを終了させる必要がない。提供されるアイテムは、値引き若しくはクーポンを含むこともでき、又は値引き若しくはクーポンに関連付けられることができる。提供されるアイテムは、慈善事業又は政治運動に寄付する機会であることさえあり得る。当然、別のインターネット宛先を訪れることが道理にかなうことがあり、適切な場合、消費者は同様に、別のインターネット宛先に確実にリンクすることができる。
【００２０】
スマートコンテナコードは、全ての複雑性に対処するため、最も単純なウェブサイトをインスタント電子商取引ストアにすることができる。これにより、誰でも、電子商取引サイトをセットアップする複雑さに対処する必要なく、オンラインで取引することができる。電子商取引サイトを有する業者の場合、はるかに豊富なショッピング経験を容易に可能にする。クリエイティブな趣味愛好家又はローカルバンドの場合、関心のある消費者に容易に直接販売させることを許容する。サポート又は販売促進するために、オンデマンド商品と呼ばれるスマートコンテナコード内の補足アイテムを提供することができる。業者は、業者自身の作品と共に販売するアパレルのセレクションを業者のアート及びグラフィックスを用いてカスタム設計することができる。オンデマンドフルフィルメントは、カスタムアパレルを動的にプロデュースして出荷し、在庫を管理する必要性をなくすとともに、オンライン消費者がより豊富な製品ラインを提供する。当然、インスタント商取引ストアはスマートコンテナオブジェクトに基づくため、全ての形態のバイラルシンジケーション方法にも同様に広めることができる。
【００２１】
スマートコンテナコードは、特定の構成に従って自動カスタマイズもする。デバイスが従来のパーソナルコンピュータ（ＰＣ）又はラップトップである場合、デバイスは最適な技術を使用してレンダリングし、最適な技術は、ここでは、フラッシュを表すことができる。iPhone、iPad、又はANDROID（登録商標）電話等のモバイルデバイスでは、これは、ＨＴＭＬ５又はネイティブインタラクティブアプリケーションに慣れている可能性が高いことを意味する。スマートコンテナコード内のアイテムはまた、特定の構成に従って互いについて知っている。ビデオが再生されているとき、コンテナは、ビデオセグメント内の特定のシーケンスに対応する、示されている製品及びサービスオブジェクトを更新することができる。それにより、「ミニＱＶＣ」ショッピングチャンネルを作成し、インターネットにわたってシンジケート実施（syndicate）することができる。デバイスタイプの他に、カスタマイズの他の方法がある。より小さなデバイス及びソーシャルサイト等の幾つかの環境は、ウィンドウサイズを制限し、スマートコンテナコードはそれに適応する。更に、スマートコンテナコードが地理ロケーションに関してもカスタマイズ可能なように、地理ロケーションに基づいて異なるコンテンツを提供することが適切であり得る。
【００２２】
スマートコンテナコードは、より人気のあるネットワークパスを辿り、インターネットにわたってバイアルシンジケートを実施することができる。スマートコンテナオブジェクトは、従来のウェブページ若しくはブログでホストされてもよく、電子メールに含まれてもよく、モバイルデバイスで動作してもよく、又はソーシャルネットワークを伝搬してもよい。スマートコンテナコードは柔軟性があるため、広告表示ユニットのフォームファクタでセットアップし、表示広告ネットワーク上の広告サーバを介して分散することもできる。コードは、FACEBOOK（登録商標）のようなソーシャルネットワークに存在する場合、ユーザの「いいね」の波に乗ることができる。例えば、女性の買い物客が、スマートコンテナインターフェースに示される幾つかの素晴らしい靴を気に入る場合、スマートコンテナオブジェクトは、「ウォール」に直接伝搬することができる。この時点で、その女性の買い物客の全ての友人がスマートコンテナオブジェクトを見、各自のウォールでその場で閲覧又は取引することができる。当然、その女性の買い物客の任意の友人もそれを「気に入る」場合、スマートコンテナオブジェクトは伝搬し、波に乗ってソーシャルネットワークのそのブランチの更に中に届き、潜在的な指数的成長因子をもたらす。コンテナコードは必ずしも、靴のような製品を含むわけではない。別の例として、コンテナは、選挙に出馬している政治家を支援することができる。政治家の支援者は、メッセージに夢中であり、メッセージを「気に入る」ことがあり得、ここでも、それを支援者のネットワークに提供する。ここで、同様の考えの政治家支援者はそれらのメッセージを見ることができ、運動に寄付するように心を動かされる場合、運動に寄付することができる。更に別の例はスポーツである。この場合、スポーツファンは、高精細（ＨＤ）大画面テレビでコンテンツを見ることを望み得る。ますます多くのユーザが、ROKU及びCHROMECASTデバイス等の相互接続されたデバイスを有し、スマートコンテナコードも同様に、そのようなＩＰテレビボックスに送信し得る。
【００２３】
業者は、スマートコンテナオブジェクトを開始し、インターネットでシンジケート実施する場合、キャンペーンがいかに機能しているかを知ることを望み得る。スマートコンテナオブジェクトは、インプレッション、ビデオ閲覧数、クリック数、リード、及び販売等の関心のあるイベント及びトランザクションについてのステータスを報告する。全てのそのようなイベント／トランザクションは、イベント発生時に返送することができ、イベント／トランザクションの状態についての詳細を提供する。コンテナは、スマートであるため、挙動を変更し、異なるクリップを提供し、製品を更新し、又はマーケティング若しくは販売キャンペーンを止めるときである場合に終了するように命令されることができる。
【００２４】
別の形態の追跡は、スマートコンテナコードがいかに伝搬されるかに関連する。業者は、アフィリエイターを使用して、シンジケートの実施を促進し、アフィリエイターの仕事から生じるトランザクションに基づいてある割合をアフィリエイターに支払うことを望み得る。スマートコンテナオブジェクトに、アフィリエイト追跡識別子をタグ付けすることができ、それにより、コンテナインスタンス又はその子孫からのステータスリポート及びトランザクションを適宜フィルタリングすることができる。別の追跡使用は、政治家がアフィリエイトコードを支援者に割り当て、誰の努力が大半の新規支援者に繋がったかを測定可能にすることであり得る。
【００２５】
スマートコンテオブジェクトは、特定の構成により高度にスケーラブルなように設計される。単一のウェブサイトに大量のトラフィック（全ての消費者を店に連れて行く従来のモデルから生じる）の負担を掛けるのではなく、スマートコンテナコードは分散して動作する。例えば、スマートコンテナコードは、ブログ、ソーシャルネットワーク、又はモバイルデバイス等の配置された場所で実行することができる。スマートコンテナオブジェクトは、開始時に命令をフェッチし、次に、世界中に分散したコンテンツ配信ネットワークから製品アイテム及びビデオストリームを収集する。これにより、高度にスケーラブルなアーキテクチャになり、数百万人の同時消費者が可能になる。
【００２６】
ストアを顧客に提示することにより、スマートコンテナコードは、顧客のウェブ活動を妨げることなく、業者を消費者と結び付ける多くの新しい方法を可能にする。最終結果は、消費者を業者に直接結び付け、中間業者をなくし、はるかに自然なショッピング経験を促進することである。
【００２７】
上記説明の機能は、図１及び図１２に記載される構成要素又は他の適する構成要素等の任意の適する構成要素から利用することができる。コード自体は、Java（登録商標）、C++、C#、ＨＴＭＬ、ＨＴＭＬ５、JAVAスクリプト、PYTHON、RUBY等を含むが、これらに限定されない任意の適するフォーマットで書くことができる。
【００２８】
独立しており、スマートコンテナコード等の任意の特別なコンテナとは別個に存在する、様々なメディアコンテンツ（ビデオ及びオーディオ）が世界中に存在する。本開示の特定の実施形態は、補足コンテンツを基本となるベースコンテンツに動的にバインドすることにより、そのようなコンテンツの力を生かそうとする。単純な例として、ビデオは、多くのビデオストリーミングサービスの１つによって提供される等のコンテンツサーバからストリーミングし得る。本開示の特定の実施形態によれば、補足コンテンツは、そのようなコンテンツに動的に追加される。１つ又は複数の実施形態では、「動的」は「リアルタイム」と呼ばれることもある。以下の開示は特に、そのような補足コンテンツの追加と、どの補足コンテンツを提供するかの決定とを説明する。これは、ベースコンテンツ、ユーザプロファイル、デバイスプロファイル、又は他の要因に基づいて行うことができる。
【００２９】
図２Ａ〜図２Ｅは、本開示によるベースコンテンツへの補足コンテンツの動的バインドの例を示す。図２Ａ〜図２Ｅに見られるように、ベースコンテンツ２００が概して示される。ベースコンテンツ２００は、文字通りあらゆるタイプの視覚的又は聴覚的コンテンツ  −  写真であれ、ストリーミングビデオであれ、リモートロケーションからのライブストリームであれ、デバイスの現在ロケーションからのリアルタイムコンテンツであれ、ウェブページであれ、又は他のタイプの視覚的コンテンツであれ  −  を表す。補足コンテンツは、ベースコンテンツ及び／又はベースコンテンツにアクセスしているユーザに関連する追加情報を表す。１つ又は複数の実施形態では、補足コンテンツは、ベースコンテンツを再生するモジュールをオーバーライドし、モジュールの機能を拡大することができる（YOUTUBE（登録商標）等を用いて）。
【００３０】
幾つかの実施形態では、補足コンテンツは、追加情報、構成可能な制御機構、選択可能な構成、製品又はサービス等のコンテンツトランザクションアイテム等を含み得る。ベースコンテンツ２００の表示可能エリアは一般に、矩形境界エリアを有するものとして示されているが、ベースコンテンツ２００の表示可能エリアは他の形状をとることもできる。更に、ベースコンテンツ２００は、モバイル電話からコンピュータ、テレビまでの略無限の数のデバイスで（又は略無限の数のデバイスを通して）示すことができる。
【００３１】
上記の例として、ベースコンテンツ２００は、コンピュータ、モバイルデバイス、テレビ画面、又は任意の他の適する１つ若しくは複数のデバイスで閲覧中の、YOUTUBE、VIMEO、NETFLIX、FEDBOX INSTANT等のビデオベースのプロバイダを通してストリーミングされたビデオであり得る。ベースコンテンツ２００は、GOOGLE GLASS等の電子デバイスを通して閲覧中の現在ロケーションでのコンテンツのリアルタイムビュー又はタブレット若しくは電話等のモバイルコンピューティングデバイスでのリアルタイムビューであってもよい。更に他の構成では、ベースコンテンツ２００は画像であり得る。更に他の構成では、ベースコンテンツ２００はウェブページであり得る。
【００３２】
図２Ａ〜図２Ｅには、ベースコンテンツ２００に動的にバインドするように構成された補足コンテンツの非限定的な例２１０ａ〜２１０ｅも示される。特定の例が提供されるが、そのような例が非限定的であり、本開示を読んだ当業者には明らかになるように、他の構成も同様に利用可能なことを理解されたい。幾つかの構成では、補足コンテンツは、部分的に透明であるか否かに関係なく、ベースコンテンツに重なり得る。ベースコンテンツ２００に重なっている例としての補足コンテンツ２１０ｂ及び２１０ｃが図２Ｂ（左位置）及び図２Ｅに示されている。他の構成では、補足コンテンツは、左側、右側、上側、下側、又は他の位置等のベースコンテンツ２００外部に位置決めされ得る。ベースコンテンツ２００の境界エリア外部の例としての補足コンテンツ２１０ａ、２１０ｃ、及び２１０ｄは、図２Ａ、図２Ｃ（左位置）、及び図２Ｄに示される。
【００３３】
特定の構成では、補足コンテンツは、ユーザの行動又は非行動等に起因して、選択的に表示可能であり、且つ／又は選択的に「非表示可能」であり得る。例えば、幾つかの構成では、ベースコンテンツのコンテナと対話しているユーザは、補足コンテンツを有するメニューを表示させ得る。これらの構成の例は図２Ｂ及び図２Ｃに示されており、両矢印は、選択的表示能力又は選択的非表示能力を表す。
【００３４】
更に他の構成では、補足コンテンツは、ベースコンテンツ２００のエリア外部で始まり、部分的に透明であれ、不透明であれ、ベースコンテンツ２００を覆うように拡大し得る。例えば、図２Ｄに見られるように、左側にある補足コンテンツ２１０ｄの位置は、ベースコンテンツ２００の表示可能エリアの真下である。しかし、右側にある補足コンテンツ２１０ｄの位置では（ユーザによる対話の結果であり得る）、補足コンテンツ２１０ｄは拡大して、ベースコンテンツ２００に少なくとも部分的に重なる（エリア２１０ｄ’に示されるように）。同様の構成が図２Ｅにも見られるが、補足コンテンツ２１０ｅは画面のオーバーレイとして始まり、エリア２１０ｅ’は、ベースコンテンツ２００の表示可能エリアの縁部全体を覆う。
【００３５】
特定の構成では、補足コンテンツは、ベースコンテンツから独立し、ベースコンテンツが表示される際、動的にバインドされる。例えば、特定の設定では、ウェブページは、（ｉ）ベースコンテンツ及び（ｉｉ）補足コンテンツをインスタンス化する（ロードするか、又は呼び出す）コンテナ（埋め込みコード等）を有し得る。特定の構成によれば、補足コンテンツの要求は、ベースコンテンツに示されているものに基づくことができ、補足コンテンツはベースコンテンツに特に関連する。更に、補足コンテンツは、ベースコンテンツを見ているユーザのユーザプロファイル又は地理ロケーション等の他のパラメータに基づき得る。別の例として、他の構成では、ページ分析器がウェブページをレビューして、ベースコンテンツが含まれるロケーションを特定し、そのようなベースコンテンツをオーバーレイ又は調整することができる。
【００３６】
本明細書によれば、「バインド」の概念は、補足コンテンツをベースコンテンツに関連付けることを指し、一方、「動的バインド」は、ベースコンテンツの検出時等、コンテンツをリアルタイムで関連付けることを指す。特定の構成では、初期関連付けは、以下に図を参照して説明するように、補足コンテンツ及びベースコンテンツの両方を一緒に続けてシェアできるようにし得る。より詳細には、特定の構成では、初期動的バインドは、新しいデバイスにシェアされると、基本となるベースコンテンツ及び補足コンテンツをインスタンス化するシェア可能なコンテナ（埋め込みコードによってインスタンス化されてもよく、又はされなくてもよい）を生成する。他の構成では、そのようなコンテナは作成されず、補足コンテンツの動的バインド又は動的関連付けは、ビデオの再生毎に行われる。更に他の構成では、補足コンテンツはビデオにバインドし得、ビデオが再生要求されるとき、特定のコンテンツが動的に決定される。
【００３７】
様々な技術が、上述した動的バインドに使用され得る。非限定的な例としての構成として、補足コンテンツは、表示内のあるレイヤとして構成し得、ベースコンテンツは別のレイヤである。そのような構成では、補足コンテンツのレイヤは、適切であり得るように、レイヤ内で前方に出され、オーバーレイを可能にし得る。他の構成では、補足コンテンツには単純に、ベースコンテンツに関連する位置決めが提供され得る。
【００３８】
特定の構成では、補足コンテンツは、ベースコンテンツの特定されたサイズ及び／又はベースコンテンツ及び補足コンテンツが表示されるデバイスのスペース構成に基づいて、動的にサイズ指定することができる。他の構成では、ベースコンテンツの特定のサイズを所与として、補足コンテンツは、補足コンテンツに余地があるようにわずかにサイズ低減されたベースコンテンツを要求するコンテナについて、同じサイズを使用し得る。そのような構成を実施するに当たり、技術は、ベースコンテンツに対する要求をインターセプトし、ベースコンテンツを要求しその次に補足コンテンツを要求するコンテナを要求するように、そのような要求をリダイレクトすることができる。この後者の構成は、補足コンテンツがベースコンテンツに重ならない状況で有利であり得る。
【００３９】
上で参照したように、様々な技術を利用して、コンテンツを認識し得る。幾つかの構成では、コンテンツ指紋が利用される。例えば、ほとんどあらゆるコンテンツが、コンテンツを一意に識別するために使用することができる特定の識別特徴を有する。非限定的な例として、オーディオは、再生時、一意の音波特徴を有する。これは、コンテンツの品質がばらついても当てはまる。コンテンツ指紋の例は、画像についてGOOGLE GOGGLES製品でGOOGLEにより、SHAZAMのオーディオ指紋、及びGRACENOTESオーディオ指紋によって使用されている。ビデオ指紋の場合、ビデオの指紋は、オーディオフィードのみ、ビデオフィードのみ、又は両方に基づき得る。更に、ビデオ指紋の場合、フレームを抽出し、分析することができ、この場合、信頼度は、コンテンツの複数のフレームでの一致に基づいて上がる。コンテンツの指紋が認識されると、コンテンツは識別され、適切な補足情報を取得することができる。コンテンツ指紋を取り巻く更なる他の詳細は、本明細書の検討後、当業者に明らかになろう。
【００４０】
上記コンテンツ指紋に加えて、コンテンツを識別するか、又はコンテンツが実際に、そうであると信じられているコンテンツであることの信頼度を強化するために、他のタイプの指紋型分析を行うことができる。評価することができるパラメータは、コンテンツが取得されるＩＰアドレス又はドメイン名、符号化パラメータ（コーデック及びビデオの秒当たりのデータ送信速度等）、コンテンツのサイズ（コンテンツが画像である場合、ピクセルサイズ及び画像サイズ等）、及びコンテンツに関連付けられた特定のメタデータを含む。本開示の検討後、様々な他のコンテンツ特徴が当業者に明らかになろう。
【００４１】
本開示により、特に、オーディオ、写真、及びビデオを認識するために、様々な他のタイプのコンテンツ認識技術を利用することもできる。本開示は、いかなる特定の技術にも限定されない。例えば、上記認識技法に加えて、他の技法としては、現実世界でオブジェクトに配置されたタグの実際の電子的読み取りが挙げられ得る。
【００４２】
コンテンツ自体の認識に加えて、補足コンテンツは、ユーザ、デバイス、及び／又は他の統計学的情報の特徴に基づいてカスタマイズすることもできる。非限定的な例としては、ユーザに対応して作成されたプロファイル（FACEBOOK SHADOWプロファイルを含むが、これに限定されない）、地理的ロケーション、ＩＰアドレス、任意の適するデバイス識別子（ＭＡＣアドレス等）、クライアントを識別するヘッダに掲示されるアイテム（GOOGLE CHROMEブラウザ等）、及び日時が挙げられる。そのような情報に基づいて、補足コンテンツは、特定のユーザに対応するようにカスタマイズすることができる。
【００４３】
図３Ａ〜図３Ｃは、本開示による様々な関係を有するコンテンツプロビジョニング構成例を示す。これらの図では、通信システムが利用されて、通信ネットワークを通してクライアント３１０、コンテンツプロバイダ３２０、及びサーバ３３０の間の通信を促進することができる。特定の実施形態では、図３Ａ〜図３Ｃに示されるコンテンツプロビジョニング構成は、通信システム１００の異なる例を表し、クライアント３１０、コンテンツプロバイダ３２０、及びサーバ３３０は、異なるエンドポイント１１０、１２０、及び１３０を示す。
【００４４】
幾つかの実施形態では、コンテンツプロバイダ３２０は、クライアント３１０と予め存在する関係を有し得る。コンテンツプロバイダ３２０とクライアント３１０との予め存在する関係は、何らかの方法でベースコンテンツを提供する合意を含むことができる。上述したように、ベースコンテンツは、任意のタイプのオーディオコンテンツ及び／又は視覚的コンテンツを表すことができる。幾つかの実施形態では、ベースコンテンツは、コンテンツプロバイダ３２０とクライアント３１０のユーザとの認可された関係３４０を通してクライアント３１０に提供し得る。しかし、他の例では、認可された関係３４０がない。一般に、ユーザは、インターネット、放送接続、衛星接続を通してベースコンテンツに視覚的、聴覚的等でアクセスし得る。幾つかの例では、ユーザは、認可された関係３４０に対して加入料を支払う。他の例では、ユーザは単純に、コンテンツプロバイダ３２０に登録する。例えば、NETFLIXでは、ユーザは、ベースコンテンツ（映画及びＴＶショー等）にアクセスするために月毎の加入料を支払い得る。YOUTUBEでは、ユーザは電子メールアドレス等の一意の識別子を用いて登録し得る。幾つかの例では、コンテンツプロバイダ３２０は、コンテンツプロバイダ３２０のシステムに保持されたユーザの支払い情報を有し得る。
【００４５】
なお、単一のクライアント３１０がここで示されているが、ユーザは複数のクライアント３１０に関連付けることができる。例えば、ユーザは、あるクライアントデバイスを使用してベースコンテンツを閲覧し、且つ／又は聞きながら、別のクライアントデバイスで補足コンテンツを閲覧し得る。特定の例として、ユーザは、テレビで映画又はＴＶショーを見ながら、GOOGLE GLASSデバイスで補足コンテンツを閲覧し得る。また、補足コンテンツは、ベースコンテンツの上、ベースコンテンツの下、ベースコンテンツの横、ベースコンテンツの上に重ねて等を含むが、これらに限定されない幾つかの方法で位置決めし得る。
【００４６】
１つ又は複数の実施形態では、サーバ３３０は、コンテキストを使用して、表示に適切な製品及びサービスをベースコンテンツに関連付けることが可能である。これらのコンテンツ／補足関連付けは、補足コンテンツリポジトリに供給することができる。サーバ３３０は、人々、製品、サービス等のそれらのビデオ内のオブジェクトをマッピングし識別する。サーバ３３０は、補足コンテンツサーバと呼ばれることもある。
【００４７】
実施形態例では、例えば、ビデオ等のベースコンテンツが提示される場合、サーバ３３０は、リポジトリ内のデータを使用して、これらの関連付けを見つける。これらは、そのビデオに関するキーワード及びナレーション的なテキスト記述を探して先にデータマイニングすることによって構築される。データマイニングのソースは、例えば、ビデオファイルのタイトル、そのビデオファイルを含むウェブページ上のナレーション的テキスト、電子商取引サイトでの関連付けられたビデオで記述される製品のナレーション的製品記述、関連付けられたビデオで記述されるサービスのビジネスウェブサイトでのナレーション的記述、ブロードキャストリスト（ＴＶガイド、ＣＡＴＶブロードキャスト説明等）、映画レビューサイト記述、スポーツビデオレビュー、YOUTUBE／VIMEO関連キーワード及びナレーション的記述、ニュースウェブサイトでの関連するビデオクリップのナレーション的記述、ビデオサイトマップ、ビデオコンテンツに関連するキーワードを識別するウェブサイトの方法、ビデオサイトマップによってリンクされるウェブページ上のナレーション的テキスト、人々（有名人、スポーツ選手、政治家）、製品（車、洋服、靴等）等の予め処理され記憶されたビデオの画像認識、ビデオフレーム内をスキャンするターゲット画像の画像テンプレート等であり得るが、これらに限定されない。
【００４８】
実施形態例では、スキャンが行われる際、ビデオの特定のサブセクションにキューポイントを関連付けて、関連するオブジェクトが表示されるビデオの期間中、適切な補足コンテンツを示すことができる。
【００４９】
実施形態例では、ベースオブジェクトが、ベースコンテンツに含まれることが分かっており、識別されると、ベースオブジェクトはこれらを使用して、そのベースコンテンツと併用することができる適切で利用可能な製品及びサービスの補足コンテンツを探すことができる。例えば、ベースコンテンツがリポジトリ内の情報に基づいてスポーツ有名人を示す場合、サーバ３３０は、そのベースコンテンツとの補足コンテンツとして機能することができる、Ｔシャツ、本、そのスポーツ有名人公認の製品に関連する補足コンテンツを見つけ得る。サーバ３３０は、特定の車を見る場合、リード生成補足コンテンツアイテムをローカルの車ディーラーに提供し得る。
【００５０】
例では、サーバ３３０は、オブジェクトを識別するとともに、オブジェクトから、補足コンテンツへのリンクに適切な、利用可能な製品及びサービスを識別することができる。
【００５１】
図３Ａでは、コンテンツプロバイダ３２０は、ベースコンテンツをユーザのクライアント３１０に直接提供し得る。ベースコンテンツは、幾つかの異なるメディアを通して提供し得る。例としては、テレビ、テレビでのアプリケーション、衛星、インターネット、及び他の形態の通信が挙げられるが、これらに限定されない。この関係では、ユーザは、サーバ３３０とは別個に補足コンテンツを受信し得る。
【００５２】
幾つかの実施形態では、クライアント３１０、コンテンツプロバイダ３２０、及びサーバ３３０の間に幾つかの異なる通信３５０〜３５６がある。この例では、通信３５０は、補足コンテンツに関連付けられたアイテムの購入注文を含み得、通信３５２は、ベースコンテンツを含み得る。また、通信３５４は、補足コンテンツに関連付けられたアイテムの購入注文を含み得、通信３５６は補足コンテンツを含み得る。コンテンツプロバイダ３２０によって受信される任意の購入注文は、サーバ３３０に転送することができる。
【００５３】
この関係では、ユーザは、コンテンツプロバイダ３２０及び／又はサーバ３３０を通して少なくとも１つの製品又はサービスを購入し得る。クライアント３１０、コンテンツプロバイダ３２０、及びサーバ３３０は、何らかのタイプの認証及び認可スキームを利用して、補足コンテンツに関連付けられたアイテム（１つ又は複数の製品又はサービス等）の購入機関を提供し得る。構成例では、コンテンツプロバイダ３２０は、ユーザがコンテンツプロバイダ３２０のサービスに加入している場合、ユーザの支払い情報を既に有し得る。認可スキームにより、サーバ３３０は、ユーザの代理として購入を実行するために、コンテンツプロバイダ３２０から支払い情報を検索でき得る。他の実施形態では、サーバ３３０は、ユーザの支払い情報を含むことができる。
【００５４】
この機能の特定の例として、ユーザは、コンテンツプロバイダ３２０でのファイルに既にあるユーザの支払い情報を使用することにより、補足コンテンツに関連付けられた１つ又は複数のアイテムを購入し得る。ユーザがサーバ３３０を通してアイテムを購入する場合、サーバ３３０の所有者（CINSAY等）は、購入についてコンテンツプロバイダ３２０と無償共有合意を有し得る。そのような無償共有合意は別の方法で、コンテンツプロバイダ３２０が、補足コンテンツを、コンテンツプロバイダ３２０によって提供されるベースコンテンツと共に表示できるようにすることを奨励し得る。
【００５５】
図３Ｂでは、コンテンツプロバイダ３２０は、ベースコンテンツをユーザのクライアント３１０及びサーバ３３０に直接提供し得る。ベースコンテンツは、テレビ、テレビでのアプリケーション、衛星、インターネット、及び他の形態の通信を含むが、これらに限定されない幾つかの異なるメディアを通して提供し得る。この関係では、ユーザのクライアント３１０は、サーバ３３０とは別個に補足コンテンツ及びベースコンテンツを受信し得る。また、この関係では、ユーザは、サーバ３３０を通して１つ又は複数の製品又はサービスを購入し得る。
【００５６】
幾つかの実施形態では、クライアント３１０、コンテンツプロバイダ３２０、及びサーバ３３０の間に幾つかの異なる通信３６０〜３６６がある。この例では、通信３６０はベースコンテンツを含み得、通信３６２はベースコンテンツを含み得る。また、通信３６４は、補足コンテンツに関連付けられたアイテムの購入注文を含み得、通信３６６は補足コンテンツを含み得る。
【００５７】
ここでも、ユーザは単一のクライアント３１０又は複数のクライアント３１０に関連付けられ得る。例えば、ユーザは、あるクライアントデバイスでベースコンテンツを閲覧し、且つ／又は聞きながら、別のクライアントで補足コンテンツを閲覧し得る。特定の例として、ユーザは、映画、ＴＶショー、又は他のベースコンテンツをテレビで見ながら、タブレットコンピュータのような別のクライアントデバイスで補足コンテンツ及びベースコンテンツを閲覧し得る。補足コンテンツは、ベースコンテンツの上、ベースコンテンツの下、ベースコンテンツの横、ベースコンテンツの上に重ねて等を含むが、これらに限定されない幾つかの方法で位置決めし得る。
【００５８】
これらの実施形態では、ユーザは、サーバ３３０によって提供されるコンテナを通してベースコンテンツを受信することにより、追加の恩恵を受け得る。例えば、ユーザは、所望の補足コンテンツを表示する時点にベースコンテンツを巻き戻すことが可能であり得る。別の例として、ユーザは、コマーシャルによる中断なしでベースコンテンツを見ることが可能であり得る。更に別の例として、ユーザは、補足コンテンツに関連付けられた１つ又は複数の購入アイテムでの値引きを受け取ることが可能であり得る。
【００５９】
上述したように、クライアント３１０、コンテンツプロバイダ３２０、及びサーバ３３０は、何らかのタイプの認証及び認可スキームを利用して、補足コンテンツに関連付けられたアイテム（１つ又は複数の製品又はサービス等）の購入機関を提供し得る。認可スキームにより、サーバ３３０は、ユーザの代理として購入を実行するために、支払い情報を検索することができ得るが、サーバ３３０は、支払い情報をファイルに既に有することができる。ユーザがサーバ３３０を通してアイテムを購入する場合、サーバ３３０の所有者（CINSAY等）は、購入に対する報酬をコンテンツプロバイダ３２０に提供し得る。
【００６０】
図３Ｃでは、コンテンツプロバイダ３２０はここでも、ベースコンテンツをサーバ３３０に提供し得る。この関係では、ユーザのクライアントは、ベースコンテンツをコンテンツプロバイダ３２０から直接受信せずに、補足コンテンツ及びベースコンテンツを両方ともサーバ３３０から受信し得る。ベースコンテンツは、テレビ、テレビでのアプリケーション、衛星、インターネット、及び他の形態の通信を含むが、これらに限定されない幾つかの異なるメディアを通して提供し得る。
【００６１】
幾つかの実施形態では、クライアント３１０、コンテンツプロバイダ３２０、及びサーバ３３０の間に幾つかの異なる通信３７０〜３７４がある。この例では、通信３７０はベースコンテンツを含み得、通信３７２は補足コンテンツに関連付けられたアイテムの購入注文を含み得、通信３７４は、ベースコンテンツ及び補足コンテンツを含み得る。
【００６２】
この関係では、ユーザは、全てのコンテンツをサーバ３３０から受信する。例えば、ユーザは、サーバ３３０によって提供されるコンテナを通して、コンテンツプロバイダ３２０によって提供されるネットワークにログインし得る。特定の例として、ユーザは、サーバ３３０によって提供されるコンテナを通して、NETFLIXにログインし、NETFLIXからの映画を選択し、閲覧し得る。次に、補足コンテンツは、要求されたベースコンテンツと共にサーバ３３０によって提供される。補足コンテンツは、ベースコンテンツの上、ベースコンテンツの下、ベースコンテンツの横、ベースコンテンツの上に重ねて等を含むが、これらに限定されない幾つかの方法で位置決めされ得る。この関係では、ユーザはここでも、サーバ３３０を通して補足コンテンツに関連付けられた１つ又は複数のアイテムを購入し得る。
【００６３】
これらの実施形態では、ユーザは、サーバ３３０によって提供されるコンテナを通してベースコンテンツを受信することにより、追加の恩恵を受け得る。例えば、ユーザは、所望の補足コンテンツを表示する時点にベースコンテンツを巻き戻すことが可能であり得る。別の例として、ユーザは、コマーシャルによる中断なしでベースコンテンツを見ることが可能であり得る。更に別の例として、ユーザは、補足コンテンツに関連付けられた１つ又は複数の購入アイテムでの値引きを受け取ることが可能であり得る。
【００６４】
ここでも、クライアント３１０、コンテンツプロバイダ３２０、及びサーバ３３０は、何らかのタイプの認証及び認可スキームを利用して、補足コンテンツに関連付けられたアイテム（１つ又は複数の製品又はサービス等）の購入機関を提供し得る。認可スキームにより、サーバ３３０は、ユーザの代理として購入を実行するために、支払い情報を検索することができ得るが、サーバ３３０は、支払い情報をファイルに既に有することができる。ユーザがサーバ３３０を通してアイテムを購入する場合、サーバ３３０の所有者（CINSAY等）は、購入に対する報酬をコンテンツプロバイダ３２０に提供し得る。
【００６５】
幾つかの実施形態では、ユーザは、コンテンツプロバイダ３２０及び／又はサーバ３３０の所有者に加入していることができる。例えば、サーバ３３０の所有者及びコンテンツプロバイダ３２０は、サーバ３３０がコマーシャルによる中断なしでベースコンテンツを提供することができる取り決めを有し得る。次に、サーバ３３０の所有者は、この恩恵についてユーザの加入契約を形成し得る。
【００６６】
以下は、図３Ａ〜図３Ｃの任意の実施形態を用いて生じ得るシナリオの幾つかの非限定的な例を提供する。ユーザがテレビでショーを見ているが、ショーは現在、ブロードキャスト中であり、コマーシャルによって中断されていると仮定する。ユーザのクライアント３１０は、上述した指紋技法等の任意の適する技術を利用して、ブロードキャスト中のショーを認識し得る。適宜認可されると、同じコンテンツは、コマーシャルによる中断なしで同じ又は異なるデバイス（ＴＶ又はiPadに接続されたCHROMECAST等）に示すことができる。換言すれば、コンテンツプロバイダは、何らかの他の形態（コンテンツのコマーシャル割り込みなし版中に表示される補足コンテンツに関連付けられた販売の部分等）で報酬を受け取る場合、コンテンツのコマーシャル中断なしのバージョンを提供し得る。
【００６７】
上記等のシナリオは、ライブブロードキャストと併用することもでき、ユーザは、ブロードキャストされたショーを冒頭まで効率的に巻き戻して、コマーシャルによる中断なしで再生することができる。再生時、補足コンテンツが従来のコマーシャルの代わりに表示される。補足コンテンツは、再生中のコンテンツに関連してもよく、又は関連しなくてもよい。
【００６８】
特定のシナリオでは、アイテムについての情報を表示し得るため、ユーザに強化された経験が提供される。更に、ユーザは、ショーが開始された後にショーの閲覧を開始したシナリオで、ショーを冒頭又は他の時点まで巻き戻す（そしてコマーシャルなしで再生する）ことができ得る。更に、支払い信用情報（加入信用情報等）が記憶されるシナリオでは、ユーザは、いかなる信用情報も入力せずにアイテムを購入し得る。このようにして、コンテンツプロバイダは、ベースコンテンツと共に補足コンテンツを表示することから生成される任意の収益を共有し得るため、ベースコンテンツを補足コンテンツと併せて表示させることが動機付けられる。
【００６９】
図４は、本開示による、ユーザとコンテンツプロバイダとの関係を管理する例としてのプロセス４００を示す。プロセス４００は、例えば、図５に示され、以下に説明されるような少なくとも１つの処理デバイス５１２によって実行し得る。以下の説明では、少なくとも１つの処理デバイス５１２はコントローラとして参照されるが、プロセス４００は任意の他の適するデバイスによって実行することも可能である。
【００７０】
ステップ４１０において、コントローラは、コンテンツプロバイダのビデオコンテンツに関連する補足コンテンツに対する要求をユーザデバイスから受信する。ユーザは、ラップトップ、タブレット、GOOGLE GLASS、モバイルデバイス等を含むが、これらに限定されない任意の適するエンドポイントを表し得る。
【００７１】
ステップ４２０において、コントローラは、ビデオコンテンツに関連する補足コンテンツを識別する。幾つかの実施形態では、コントローラは、１つ又は複数の製品又はサービスに関連する少なくとも１つの値を識別し、少なくとも１つの値にはビデオコンテンツが関連付けられる。これは、フィンガープリント、タイトル、サイズ等のメディアの特徴をローカル又はリモートに識別する等により、任意の適する方法で行うことができる。値は、ＸＭＬファイル等であるがこれに限定されないデータファイルを通して提供することもできる。値は、ビデオコンテンツに関連付けられたインターネット情報をデータマイニングすることによって検索することもできる。例えば、値は、ビデオコンテンツの値を提供するウェブサイトを識別することによって見つけることができる。
【００７２】
識別された補足コンテンツは、１つ又は複数の製品又はサービスについての追加情報を提供することができる。例えば、追加情報は、１つ又は複数の製品又はサービスについての価格、説明、レビュー等を含むことができる。補足情報は、１つ又は複数の製品又はサービス、追加情報、及び１つ又は複数の製品又はサービスに関連する構成に関する制御機構を含むこともできる。幾つかの実施形態では、制御機構は、１つ又は複数の製品又はサービスで利用可能な対話をサポートすることができる。更に、ユーザパラメータは、上述した値と共に送信されて、ユーザに送信する補足コンテンツの識別に役立ち得る。
【００７３】
幾つかの実施形態では、補足コンテンツはベースコンテンツに動的に追加される。「動的」という用語は、「リアルタイム」と呼ばれることもある。ベースコンテンツへの補足コンテンツの追加、及びどの補足コンテンツを提供するかの決定は、ベースコンテンツ、ユーザプロファイル、デバイスプロファイル、又は他の要因に基づいて行うことができる。また、幾つかの実施形態では、コントローラは、補足インタラクティブ表示を通して補足コンテンツをベースビデオコンテンツに動的にバインドすることができる。補足インタラクティブ表示は、ビデオを前に表示していた表示の制御をオーバーライドすることができる。例えば、ユーザのクライアント３１０は通常、ビューア内でベースコンテンツを表示することができ、補足インタラクティブ表示は、ビューアをオーバーライド又はオーバーレイすることができる。
【００７４】
ステップ４３０において、コントローラは、補足コンテンツをユーザデバイスに送信する。上述したように、このステップは、ベースコンテンツをユーザデバイスに送信することを含んでもよく、又は含まなくてもよい。
【００７５】
ステップ４４０において、コントローラは、補足コンテンツに関連するトランザクションを受信し、トランザクションはユーザの識別情報を含む。幾つかの実施形態では、「トランザクション」は、補足コンテンツに示されるか、記述されるか、又は他の方法で関連付けられた１つ又は複数の製品の購入を表し得る。識別情報は、ユーザについての識別情報を表すことができる。識別情報により、コンテンツプロバイダ３２０又はサーバ３３０は、ユーザのアカウントにアクセスして、支払い情報及び／又は加入情報にアクセスすることができる。
【００７６】
ステップ４５０において、コントローラは、識別情報を使用してユーザとコンテンツプロバイダとの関係を識別する。これは、例えば、ユーザがコンテンツプロバイダの加入者であるか否かをコントローラが判断することを含むことができる。ステップ４６０において、コントローラは、トランザクションの支払いのために、コンテンツプロバイダ又はサーバからユーザ取引信用情報を取得する。「ユーザ取引信用情報」という語句は、銀行口座情報、加入情報、クレジットカード情報、PAYPAL情報、GOOGLE WALLET情報等であるが、これらに限定されない支払い情報を表す。１つ又は複数の製品又はサービスへの注文が開始されるとき等、この時点で、トランザクションは成立することができる。また、注文に関連付けられた収益は、サーバ３３０を運営しているエンティティと、コンテンツプロバイダ３２０を運営しているエンティティとの間で分割することができる。更に、ベースコンテンツに対する要求は、ユーザログイン信用情報を含み得る。「ユーザログイン信用情報」という語句は、コンテンツプロバイダのベースコンテンツにアクセスするためのコンテンツプロバイダへのログイン情報を表す。例えば、ユーザは、HULU、NETFLIX、HBOGO等にアクセスするためのユーザログイン信用情報を有し得る。
【００７７】
図５は、本開示による補足コンテンツを動的にバインドする例としてのコンピューティングデバイス５００を示す。ここで、コンピューティングデバイス５００は、上述した技法又は機能の任意の組合せを含め、上述した任意の技法又は機能を実施するために使用することができる。コンピューティングデバイス５００は一般に、Windows、MAC OS、UNIX（登録商標）、LINUX、OS2、IOS、ANDOROID、又は他のオペレーティングシステムを含め、任意の適するオペレーティングシステムを実行するように構成し得る。
【００７８】
図５に示されるように、コンピューティングデバイス５００は、少なくとも１つの処理デバイス５１２と、ランダムアクセスメモリ（ＲＡＭ）５１４と、読み取り専用メモリ（ＲＯＭ）５１６と、マウス５１８と、キーボード５２０と、ディスクドライブ５２２、プリンタ５２４、ディスプレイ５２６、及び通信リンク５２８等の入／出力デバイスとを含む。他の実施形態では、コンピューティングデバイス５００は、より多数、より少数、又は他の構成要素を含み得る。コンピューティングデバイスは、多種多様な構成であり、図５は、いかなる特定のコンピューティングデバイス又はいかなるタイプのコンピューティングデバイスにも本開示の範囲を限定しない。
【００７９】
プログラムコードは、ＲＡＭ５１４、ＲＯＭ５１６、又はディスクドライブ５２２に記憶し得、少なくとも１つの処理デバイス５１２によって実行されて、上述した機能を実行し得る。少なくとも１つの処理デバイス５１２は、１つ又は複数のプロセッサ、マイクロプロセッサ、コントローラ、マイクロコントローラ、マルチコアプロセッサ等の任意のタイプの処理デバイスとすることができる。通信リンク５２８は、上述した任意の様々なタイプの通信ネットワーク１４０を含め、コンピュータネットワーク又は様々な他の通信プラットフォームに接続され得る。ディスクドライブ５２２は、例えば、フロッピードライブ、ハードドライブ、ＣＤドライブ、ＤＶＤドライブ、磁気テープドライブ、又は他の適する記憶媒体等の様々なタイプの記憶媒体を含み得る。１つ又は複数のディスクドライブ５２２が、コンピューティングデバイス５００で使用され得る。
【００８０】
なお、図５は、本開示の他の実施形態と共に利用され得るコンピュータの一実施形態例を提供するが、そのような他の実施形態は、任意の適する汎用又は専用コンピューティングデバイスを利用し得る。任意の適する構成を有する複数のコンピューティングデバイスを使用することもできる。一般に、複数のコンピューティングデバイスは、インターネットを通して、且つ／又はクライアント−サーバネットワークでネットワーク接続される。しかし、本開示は、私設又は公衆ネットワークによって一緒にリンクされる別個のコンピュータネットワーク内のコンピューティングデバイスを含め、任意の適する組合せ及び構成のコンピューティングデバイスを使用し得る。
【００８１】
コンピューティングデバイス５００は、固定又はモバイルデバイスを表すことができ、様々な構成要素が、コンピューティングデバイスの特定の実施に基づいて追加又は省略可能である。例えば、モバイルデバイスは、カメラ、カムコーダ、ＧＰＳ機能、及び無線通信用のアンテナ等の機能を含むことができる。そのようなモバイルデバイスの特定の例としては、iPhone、iPad、及びANDOROIDベースのデバイスが挙げられる。
【００８２】
上記図は、コンテンツプロビジョニングに関連付けられた関係のサポートに関連する様々なシステム、デバイス、及び方法を記載したが、図に様々な変更を行い得る。例えば、様々なデバイス及びシステムの設計は、デバイス又はシステムの構成要素が結合されるか、更に分割されるか、配置換えされるか、又は省略される、追加の構成要素が追加される場合等、必要又は所望に応じて変更することができる。別の例として、プロセス４００は一連のステップとして示されるが、プロセスの様々なステップは、重なってもよく、並列で行われてもよく、異なる順序で行われてもよく、又は任意の回数行われてもよい。更に、グラフィカル提示の例は、単なる例示であり、コンテンツは任意の他の適する方法で提示することもできる。周知のプロセスが詳細に記載されておらず、簡潔にするために省かれたことが理解されよう。特定のステップ、構造、及び材料が記述されていることがあるが、本開示はこれらの詳細に限定されず、当業者によく理解されるように、他で置換してもよく、様々なステップは必ずしも、示されている順序で実行される必要がない。
【００８３】
幾つかの実施形態では、本特許明細書に記載される様々な機能は、コンピュータ可読プログラムコードから形成され、コンピュータ可読媒体で実施されるコンピュータプログラムによって実施又はサポートされる。「コンピュータ可読プログラムコード」という語句は、ソースコード、オブジェクトコード、及び実行可能コードを含め、任意のタイプのコンピュータコードを含む。「コンピュータ可読媒体」という語句は、読み取り専用メモリ（ＲＯＭ）、ランダムアクセスメモリ（ＲＡＭ）、ハードディスクドライブ、コンパクトディスク（ＣＤ）、デジタルビデオディスク（ＤＶＤ）、又は任意の他のタイプのメモリ等のコンピュータによりアクセス可能な任意のタイプの媒体を含む。「非一時的」コンピュータ可読媒体は、一時的な電気信号又は他の信号を搬送する有線、無線、光学、又は他の通信リンクを除外する。非一時的コンピュータ可読媒体は、書換可能光ディスク又は消去可能メモリデバイス等のデータを永続的に記憶することができる媒体及びデータを記憶し、後に上書きすることができる媒体を含む。
【００８４】
本特許文書全体を通して使用される特定の用語及び語句の定義を記載することが有利であり得る。「アプリケーション」及び「プログラム」という用語は、適するコンピュータコード（ソースコード、オブジェクトコード、又は実行可能コードを含む）で実施されるように構成される１つ又は複数のコンピュータプログラム、ソフトウェア構成要素、命令セット、プロシージャ、関数、オブジェクト、クラス、インスタンス、関連データ、又はその部分を指す。「送信」、「受信」、及び「通信」という用語並びにそれらの派生語は、直接通信及び間接通信の両方を包含する。「含む（include）」及び「含む（comprise）」という用語並びにそれらの派生語は、限定なしの包含を意味する。「又は」という用語は包含的であり、及び／又はを意味する。「関連付けられた」という用語及びその派生語は、含む、含まれる、相互接続する、包含する、包含される、への接続又はとの接続、への結合又はとの結合、通信可能、協働、インタリーブ、並置、近傍、へのバインド又はとのバインド、有する、の属性を有する、への関係又はとの関係を有する等を意味し得る。「少なくとも１つの」という語句は、項目のリストと共に使用される場合、列挙された項目のうちの１つ又は複数の異なる組合せが使用可能であり、リスト内の１つのみの項目が必要であり得ることを意味する。例えば、「Ａ、Ｂ、及びＣのうちの少なくとも１つ」は、以下の任意の組合せを含む：Ａ、Ｂ、Ｃ、Ａ及びＢ、Ａ及びＣ、Ｂ及びＣ、並びにＡ及びＢ及びＣ。
【００８５】
本開示は特定の実施形態及び一般に関連付けられた方法を記載したが、これらの実施形態及び方法の変更形態及び置換形態が当業者には明らかになろう。以下の特許請求の範囲によって規定される本発明から逸脱せずに、他の変更形態、置換形態、及び代替形態も可能である。
【図１】
2019194878.tif 000003
【図２Ａ】
2019194878.tif 000004
【図２Ｂ】
2019194878.tif 000005
【図２Ｃ】
2019194878.tif 000006
【図２Ｄ】
2019194878.tif 000007
【図２Ｅ】
2019194878.tif 000008
【図３Ａ】
2019194878.tif 000009
【図３Ｂ】
2019194878.tif 000010
【図３Ｃ】
2019194878.tif 000011
【図４】
2019194878.tif 000012
【図５】
2019194878.tif 000013
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
ベースコンテンツに関連付けて提示される補足コンテンツに関連するトランザクション情報を受信することであって、前記トランザクション情報はユーザの識別情報を含む、受信することと、
前記識別情報を使用して、前記ユーザと、前記ベースコンテンツを提供したコンテンツプロバイダとの関係を識別することと、
前記コンテンツプロバイダからユーザ取引信用情報を取得することと、
前記ユーザ取引信用情報を使用して、前記ユーザのトランザクションを完了することと
を含む、方法。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
補足コンテンツを提供するように構成されたサーバにおいて、コンテンツプロバイダによって提供されるベースメディアにアクセスする要求をエンドポイントデバイスから受信することであって、前記ベースメディアにアクセスする要求が、前記コンテンツプロバイダのアカウントに関連付けられたユーザ信用情報を含むことと、
前記コンテンツプロバイダに関連付けられたサーバに、前記ベースメディア及び前記ユーザ信用情報にアクセスする前記要求を送信することと、
前記コンテンツプロバイダに関連付けられた前記サーバから、前記ベースメディアを受信することと、
補足コンテンツをベースメディアに動的にバインドして、メディアコンテナを定義することと、
前記メディアコンテナを前記エンドポイントデバイスに送信して、前記ベースメディア及び前記補足コンテンツが前記エンドポイントデバイスにおいて同時に表示されるようにすることと、
前記エンドポイントデバイスから、前記補足コンテンツにおいてフィーチャされた製品又はサービスの少なくとも１つに関連付けられたトランザクション要求を受信することと、
補足コンテンツを提供するように構成された前記サーバにおいて、前記コンテンツプロバイダに関連付けられた前記サーバから、購入認可を受信することと、
前記ベースメディア又は前記補足コンテンツの再生を中断することなく、かつ前記ユーザに支払い情報の提供を要求することなく、補足コンテンツを提供するように構成された前記サーバを使用して、かつ前記購入認可に基づいて、前記トランザクションを完了することと
を含む、方法。
【請求項２】
前記エンドポイントデバイスに関連付けられたユーザがコマーシャルによる中断を伴う前記ベースメディアを受信したことに基づいて、前記エンドポイントデバイスからベースメディアにアクセスする前記要求が受信され、
前記サーバから受信された前記ベースメディアは、コマーシャルによる中断を有しない、請求項１に記載の方法。
【請求項３】
前記ベースメディアが、前記ベースメディアにアクセスする前記要求が受信された時にライブブロードキャストされているコンテンツの、コマーシャルなしのバージョンであり、前記方法が、
前記エンドポイントデバイスから、前記ベースメディアを巻き戻す要求を受信することと、
前記メディアコンテナの前記ベースメディア部分を巻き戻して、前記エンドポイントユーザデバイスが、過去にライブブロードキャストされた前記ベースメディアの部分を表示するようにすることと
を更に含む、請求項１に記載の方法。
【請求項４】
前記補足コンテンツを前記ベースメディアに動的にバインドすることが、前記ベースメディアの前記コンテンツをリアルタイムで自動的に認識することと、前記ベースメディアに関連付けられた補足コンテンツをリアルタイムで自動的に選択することとを含む、請求項１に記載の方法。
【請求項５】
前記支払い情報が、前記コンテンツプロバイダに関連付けられた前記サーバによって記憶され、かつ前記ユーザ信用情報に関連付けられる、請求項１に記載の方法。
【請求項６】
前記エンドポイントデバイスから、前記補足コンテンツにおいてフィーチャされた前記サービス又は製品の前記少なくとも１つを求める要望の指示を受信することと、
前記製品又はサービスの前記少なくとも１つを示す位置まで、前記ベースメディアを巻き戻すことと
を更に含む、請求項１に記載の方法。
【請求項７】
前記メディアコンテナが、補足コンテンツを提供するように構成された前記サーバから前記エンドポイントデバイスに送信されて、前記エンドポイントデバイスが、前記コンテンツプロバイダに関連付けられた前記サーバから前記ベースメディアを直接受信しないようにする、請求項１に記載の方法。
【請求項８】
前記トランザクションの完了に応答して、前記コンテンツプロバイダに報酬を提供することを更に含む、請求項１に記載の方法。
【請求項９】
前記エンドポイントデバイスのユーザが、前記コンテンツプロバイダと関係を有して、前記コンテンツプロバイダが、前記ベースメディアを前記エンドポイントデバイスが利用できるようにする、請求項１に記載の方法。
【外国語明細書】
2019194878000001.pdf